(57)【要約】    【課題】  権利者によるコンテンツ再生の際のユーザインタフェイスの自由度を高くすることのできるコンテンツ再生システムを提供する。    【解決手段】  携帯再生装置４と再生装置６とが近距離通信部５６、７２によって通信を確立すると、携帯再生装置４の権利状況送信手段４８は、権利記録部５０に記録されている権利データに基づく権利状況データを再生装置６に送信する。再生装置６の選択画面生成手段６５は、受信した権利状況データに基づいて、コンテンツ選択画面を生成する。ユーザが携帯再生装置４の操作部を操作して、コンテンツを選択して再生指示を与えると、再生装置６の操作指示取得手段６６はこの再生指示を受ける。権利認証手段６８は、携帯再生装置４から送信されてきた権利状況データに基づいて、再生指示がなされたコンテンツの権利があれば再生を許可する。【選択図】  図１
2007279963.tif 000002
【特許請求の範囲】
【請求項１】
携帯装置と再生装置とを備えたコンテンツ再生システムにおいて、
前記携帯装置は、
再生装置との通信を行うための近距離通信部と、
権利データを記録する権利記録部と、
権利記録部を参照し、近距離通信部によって、再生装置に対して権利状況を示すデータを送信する権利状況送信手段と、
を備え、
前記再生装置は、
携帯装置と近距離通信を行うための近距離通信部と、
再生装置用コンテンツを記録するコンテンツ記録部と、
操作指令を受ける操作指令取得手段と、
近距離通信部によって、携帯再生装置からの権利状況を示すデータを受信し、コンテンツ選択画面を生成する選択画面生成手段と、
権利状況データに基づいて、操作指令としての再生指示がなされた再生装置用コンテンツの再生を許可できるか否かを判断する権利認証手段と、
権利認証手段によって再生が許可された再生装置用コンテンツを再生する再生手段と、
を備えたことを特徴とするコンテンツ提供システム。
【請求項２】
再生装置との通信を行うための近距離通信部と、
権利データを記録する権利記録部と、
権利記録部を参照し、近距離通信部によって、再生装置に対して権利状況を示すデータを送信し、再生装置においてコンテンツ選択画面を表示させるための権利状況送信手段と、
を備えた携帯装置。
【請求項３】
コンピュータによって携帯装置を実現するためのプログラムであって、
権利データを記録する権利記録部を参照し、近距離通信部によって、再生装置に対して権利状況を示すデータを送信し、再生装置においてコンテンツ選択画面を表示させるための権利状況送信手段と、
をコンピュータによって実現するための携帯装置プログラム。
【請求項４】
携帯装置と近距離通信を行うための近距離通信部と、
再生装置用コンテンツを記録するコンテンツ記録部と、
操作指令を受ける操作指令取得手段と、
近距離通信部によって、携帯再生装置からの権利状況を示すデータを受信し、コンテンツ選択画面を生成する選択画面生成手段と、
権利状況データに基づいて、操作指令としての再生指示がなされた再生装置用コンテンツの再生を許可できるか否かを判断する権利認証手段と、
権利認証手段によって再生が許可された再生装置用コンテンツを再生する再生手段と、
を備えた再生装置。
【請求項５】
コンピュータによって再生装置を実現するためのプログラムであって、
操作指令を受ける操作指令取得手段と、
近距離通信部によって、携帯再生装置からの権利状況を示すデータを受信し、コンテンツ選択画面を生成する選択画面生成手段と、
権利状況データに基づいて、操作指令としての再生指示がなされた再生装置用コンテンツの再生を許可できるか否かを判断する権利認証手段と、
権利認証手段によって再生が許可された再生装置用コンテンツを再生する再生手段と、
をコンピュータによって実現するための再生装置プログラム。
【請求項６】
請求項１〜５のシステム、装置またはプログラムにおいて、
前記携帯装置は、
近距離通信部によって、再生装置に対して操作指令を送信する操作指令送信手段をさらに備え、
前記再生装置の操作指令取得手段は、近距離通信部によって、携帯装置からの操作指令を受けるものであること
を特徴とするもの。
【請求項７】
請求項１〜６のシステム、装置またはプログラムにおいて、
前記コンテンツ選択画面は、再生可能なコンテンツとそうでないコンテンツを区別して表示するものであることを特徴とするもの。
【請求項８】
請求項１〜７のシステム、装置またはプログラムにおいて、
権利記録部を参照し、権利状況を表示するコンテンツ選択画面を生成する選択画面生成手段をさらに備えていることを特徴とするもの。
【請求項９】
請求項１〜８のシステム、装置またはプログラムにおいて、
権利認証手段は、再生指示がなされた再生装置用コンテンツの再生を許可できないと判断した場合には、権利購入提案処理を開始する購入処理開始手段をさらに備えていることを特徴とするもの。
【請求項１０】
請求項１〜８のシステム、装置またはプログラムにおいて、
権利認証手段は、再生指示がなされた再生装置用コンテンツの再生を許可できないと判断した場合には、近距離通信部によって携帯装置に権利不存在の旨を送信し、
携帯装置は、近距離通信部によって権利不存在の旨を権利認証手段から受けて、権利購入提案処理を開始する購入処理開始手段をさらに備えていることを特徴とするもの。
【請求項１１】
携帯装置と再生装置とを備えたコンテンツ再生システムにおいて、
前記携帯装置は、
再生装置との通信を行うための近距離通信部と、
権利データを記録する権利記録部と、
権利記録部を参照し、近距離通信部によって、再生装置に対して権利状況を示すデータを送信する権利状況送信手段と、
を備え、
前記再生装置は、
サーバ装置との通信を行うための広域通信部と、
携帯装置と近距離通信を行うための近距離通信部と、
再生装置用コンテンツを記録するコンテンツ記録部と、
広域通信部によって、サーバ装置から、コンテンツ選択画面を生成するためのデータを受信するコンテンツ選択画面データ取得手段と、
近距離通信部によって携帯再生装置からの権利状況を示すデータを受信し、当該権利状況データとコンテンツ選択画面データとに基づいて、権利状況を表示するコンテンツ選択画面を生成する選択画面生成手段と、
操作指令を受ける操作指令取得手段と、
権利状況データに基づいて、操作指令としての再生指示がなされた再生装置用コンテンツの再生を許可できるか否かを判断する権利認証手段と、
権利認証手段によって再生が許可された再生装置用コンテンツを再生する再生手段と、
を備えたことを特徴とするコンテンツ提供システム。
【請求項１２】
再生装置との通信を行うための近距離通信部と、
権利データを記録する権利記録部と、
権利記録部を参照し、近距離通信部によって、再生装置に対して権利状況を示すデータを送信し、再生装置において権利状況を示したコンテンツ選択画面を表示させるための権利状況送信手段と、
を備えた携帯装置。
【請求項１３】
コンピュータによって携帯装置を実現するためのプログラムであって、
権利データを記録する権利記録部を参照し、近距離通信部によって、再生装置に対して権利状況を示すデータを送信し、再生装置において権利状況を示したコンテンツ選択画面を表示させるための権利状況送信手段と、
をコンピュータによって実現するための携帯装置プログラム。
【請求項１４】
サーバ装置との通信を行うための広域通信部と、
携帯装置と近距離通信を行うための近距離通信部と、
再生装置用コンテンツを記録するコンテンツ記録部と、
広域通信部によって、サーバ装置から、コンテンツ選択画面を生成するためのデータを受信するコンテンツ選択画面データ取得手段と、
近距離通信部によって携帯再生装置からの権利状況を示すデータを受信し、当該権利状況データとコンテンツ選択画面データとに基づいて、権利状況を表示するコンテンツ選択画面を生成する選択画面生成手段と、
操作指令を受ける操作指令取得手段と、
権利状況データに基づいて、操作指令としての再生指示がなされた再生装置用コンテンツの再生を許可できるか否かを判断する権利認証手段と、
権利認証手段によって再生が許可された再生装置用コンテンツを再生する再生手段と、
を備えた再生装置。
【請求項１５】
コンピュータによって再生装置を実現するためのプログラムであって、
サーバ装置との通信を行うための広域通信部によって、サーバ装置から、コンテンツ選択画面を生成するためのデータを受信するコンテンツ選択画面データ取得手段と、
近距離通信部によって携帯再生装置からの権利状況を示すデータを受信し、当該権利状況データとコンテンツ選択画面データとに基づいて、権利状況を表示するコンテンツ選択画面を生成する選択画面生成手段と、
操作指令を受ける操作指令取得手段と、
権利状況データに基づいて、操作指令としての再生指示がなされた再生装置用コンテンツの再生を許可できるか否かを判断する権利認証手段と、
権利認証手段によって再生が許可された再生装置用コンテンツを再生する再生手段と、
をコンピュータによって実現するための再生装置プログラム。
【請求項１６】
請求項１０〜１５のいずれかのシステム、装置またはプログラムにおいて、
前記携帯装置は、
近距離通信部によって、再生装置に対して操作指令を送信する操作指令送信手段をさらに備え、
前記再生装置の操作指令取得手段は、近距離通信部によって、携帯装置からの操作指令を受けるものであること
を特徴とするもの。
【請求項１７】
請求項１０〜１６のいずれかのシステム、装置またはプログラムにおいて、
前記携帯装置は、
サーバ装置との通信を行うための広域通信部と、
広域通信部によって、サーバ装置から、コンテンツ選択画面を生成するためのデータを受信するコンテンツ選択画面データ取得手段と、
権利記録部を参照し、権利状況を表示するコンテンツ選択画面を生成する選択画面生成手段と、
をさらに備えていることを特徴とするもの。
【請求項１８】
請求項１０〜１７のシステム、装置またはプログラムにおいて、
権利認証手段は、再生指示がなされた再生装置用コンテンツの再生を許可できないと判断した場合には、権利購入提案処理を開始する購入処理開始手段をさらに備えていることを特徴とするもの。
【請求項１９】
請求項１０〜１８のシステム、装置またはプログラムにおいて、
権利認証手段は、再生指示がなされた再生装置用コンテンツの再生を許可できないと判断した場合には、近距離通信部によって携帯装置に権利不存在の旨を送信し、
携帯装置は、近距離通信部によって権利不存在の旨を権利認証手段から受けて、権利購入提案処理を開始する購入処理開始手段をさらに備えていることを特徴とするもの。
【請求項２０】
請求項１〜１９のシステム、装置またはプログラムにおいて、
携帯装置は、非接触式ＩＣカード、携帯電話、ＰＤＡのいずれかであることを特徴とするもの。
【請求項２１】
請求項１〜２０のシステム、装置またはプログラムにおいて、
再生装置は、ビデオ再生装置、ハードディスクレコーダ、ＤＶＤ再生装置、テレビ受信装置、ステレオ装置、携帯型音楽再生装置、パソコン、カーナビ、家庭用ゲーム機のいずれかであることを特徴とするもの。
【発明の詳細な説明】
【技術分野】
【０００１】
この発明は、コンテンツを再生するシステムに関し、特にそのユーザインターフェイスに関するものである。
【背景技術】
【０００２】
画像や音楽などのコンテンツを提供するに際して、その権利を管理するシステムとして特許文献１のような仕組みが提案されている。この仕組みでは、次のようにして権利を管理している。ユーザは、販売店において希望するコンテンツのカードを購入する。このカードにはコードが印刷されており、ユーザは携帯電話などから指定のサーバにアクセスし、コードを入力する。サーバでは、コンテンツとコードの対応関係を認証し、正しいコードであれば、ユーザの携帯電話にコンテンツをダウンロードする。以後、ユーザはダウンロードされたコンテンツを携帯電話にて再生することができる。
【０００３】
【特許文献１】特開２００４−１７１３７７
【発明の開示】
【発明が解決しようとする課題】
【０００４】
しかしながら、上記のような従来の技術には次のような問題があった。特許文献１に示される技術では、コンテンツの購入時にのみ権利の確認が行われるだけであり、購入後の不正コピーなどによる再生を管理することはできない。一方、自らがダウンロードしたコンテンツしか再生できず、同じコンテンツであっても他人の機器にダウンロードされたコンテンツは再生できないという制限があった。つまり、コンテンツの再生に制限があるにもかかわらず権利管理が十分ではなく、コンテンツの権利者、利用者の双方にとって、必ずしも好ましい仕組みであるとはいえなかった。
【０００５】
さらに、再生したいコンテンツを選択するためのユーザインターフェイス画面は、再生装置が主体的に生成するのが通常であった。このため、ユーザインタフェイスに柔軟性が欠けるという問題があった。
【０００６】
この発明は、上記のような問題点を解決して、権利者によるコンテンツ再生の際のユーザインタフェイスの自由度を高くすることのできるコンテンツ再生システムを提供することを目的とする。
【課題を解決するための手段】
【０００７】
(1)(2)(3)(4)(5)この発明に係るコンテンツ再生システムは、
携帯装置は、再生装置との通信を行うための近距離通信部と、権利データを記録する権利記録部と、権利記録部を参照し、近距離通信部によって、再生装置に対して権利状況を示すデータを送信する権利状況送信手段とを備え、
再生装置は、携帯装置と近距離通信を行うための近距離通信部と、再生装置用コンテンツを記録するコンテンツ記録部と、操作指令を受ける操作指令取得手段と、近距離通信部によって、携帯再生装置からの権利状況を示すデータを受信し、コンテンツ選択画面を生成する選択画面生成手段と、権利状況データに基づいて、操作指令としての再生指示がなされた再生装置用コンテンツの再生を許可できるか否かを判断する権利認証手段と、権利認証手段によって再生が許可された再生装置用コンテンツを再生する再生手段とを備えている。
【０００８】
したがって、権利者によるコンテンツ再生の際のユーザインタフェイスを権利内容に合致したものとすることができる。
【０００９】
(6)この発明に係るコンテンツ再生システムは、
携帯装置が、近距離通信部によって、再生装置に対して操作指令を送信する操作指令送信手段をさらに備え、再生装置の操作指令取得手段は、近距離通信部によって、携帯装置からの操作指令を受けるものであることを特徴としている。
【００１０】
したがって、携帯装置の保持する権利内容に応じたインターフェイス画面にて、携帯装置から再生装置を操作することができる。
【００１１】
(7)この発明に係るコンテンツ再生システムは、
コンテンツ選択画面は、再生可能なコンテンツとそうでないコンテンツを区別して表示するものであることを特徴としている。
【００１２】
したがって、再生可能か否かを容易に知ることができる。
【００１３】
(8)この発明に係るコンテンツ再生システムは、
権利記録部を参照し、権利状況を表示するコンテンツ選択画面を生成する選択画面生成手段をさらに備えていることを特徴としている。
【００１４】
したがって、携帯装置の側においてもコンテンツ選択画面を表示することができる。
【００１５】
(9)この発明に係るコンテンツ再生システムは、
権利認証手段は、再生指示がなされた再生装置用コンテンツの再生を許可できないと判断した場合には、権利購入提案処理を開始する購入処理開始手段をさらに備えていることを特徴としている。
【００１６】
したがって、再生する権利を有さないコンテンツの再生指令がなされたときにコンテンツの購入提案を行うことができる。
【００１７】
(10)この発明に係るコンテンツ再生システムは、
権利認証手段は、再生指示がなされた再生装置用コンテンツの再生を許可できないと判断した場合には、近距離通信部によって携帯装置に権利不存在の旨を送信し、携帯装置は、近距離通信部によって権利不存在の旨を権利認証手段から受けて、権利購入提案処理を開始する購入処理開始手段をさらに備えていることを特徴としている。
【００１８】
したがって、再生する権利を有さないコンテンツの再生指令がなされたときにコンテンツの購入提案を行うことができる。
【００１９】
(11)(12)(13)(14)(15)この発明に係るコンテンツ再生システムは、
携帯装置は、再生装置との通信を行うための近距離通信部と、権利データを記録する権利記録部と、権利記録部を参照し、近距離通信部によって、再生装置に対して権利状況を示すデータを送信する権利状況送信手段とを備え、
再生装置は、サーバ装置との通信を行うための広域通信部と、携帯装置と近距離通信を行うための近距離通信部と、再生装置用コンテンツを記録するコンテンツ記録部と、広域通信部によって、サーバ装置から、コンテンツ選択画面を生成するためのデータを受信するコンテンツ選択画面データ取得手段と、近距離通信部によって携帯再生装置からの権利状況を示すデータを受信し、当該権利状況データとコンテンツ選択画面データとに基づいて、権利状況を表示するコンテンツ選択画面を生成する選択画面生成手段と、操作指令を受ける操作指令取得手段と、権利状況データに基づいて、操作指令としての再生指示がなされた再生装置用コンテンツの再生を許可できるか否かを判断する権利認証手段と、権利認証手段によって再生が許可された再生装置用コンテンツを再生する再生手段とを備えている。
【００２０】
したがって、権利者によるコンテンツ再生の際のユーザインタフェイスを権利内容に合致したものとすることができる。
【００２１】
(16)この発明に係るコンテンツ再生システムは、
携帯装置が、近距離通信部によって、再生装置に対して操作指令を送信する操作指令送信手段をさらに備え、再生装置の操作指令取得手段は、近距離通信部によって、携帯装置からの操作指令を受けるものであることを特徴としている。
【００２２】
したがって、携帯装置の保持する権利内容に応じたインターフェイス画面にて、携帯装置から再生装置を操作することができる。
【００２３】
(17)この発明に係るコンテンツ再生システムは、
携帯装置が、サーバ装置との通信を行うための広域通信部と、広域通信部によって、サーバ装置から、コンテンツ選択画面を生成するためのデータを受信するコンテンツ選択画面データ取得手段と、権利記録部を参照し、権利状況を表示するコンテンツ選択画面を生成する選択画面生成手段とをさらに備えている。
【００２４】
したがって、携帯装置の側においてもコンテンツ選択画面を表示することができる。
【００２５】
(18)この発明に係るコンテンツ再生システムは、
権利認証手段は、再生指示がなされた再生装置用コンテンツの再生を許可できないと判断した場合には、権利購入提案処理を開始する購入処理開始手段をさらに備えていることを特徴としている。
【００２６】
したがって、再生する権利を有さないコンテンツの再生指令がなされたときにコンテンツの購入提案を行うことができる。
【００２７】
(19)この発明に係るコンテンツ再生システムは、
権利認証手段は、再生指示がなされた再生装置用コンテンツの再生を許可できないと判断した場合には、近距離通信部によって携帯装置に権利不存在の旨を送信し、携帯装置は、近距離通信部によって権利不存在の旨を権利認証手段から受けて、権利購入提案処理を開始する購入処理開始手段をさらに備えていることを特徴としている。
【００２８】
したがって、再生する権利を有さないコンテンツの再生指令がなされたときにコンテンツの購入提案を行うことができる。
【００２９】
(20)この発明に係るコンテンツ再生システムは、
携帯装置は、非接触式ＩＣカード、携帯電話、ＰＤＡのいずれかであることを特徴としている。
【００３０】
(21)この発明に係るコンテンツ再生システムは、
再生装置は、ビデオ再生装置、ハードディスクレコーダ、ＤＶＤ再生装置、テレビ受信装置、ステレオ装置、携帯型音楽再生装置、パソコン、カーナビ、家庭用ゲーム機のいずれかであることを特徴としている。
【００３１】
この発明において「携帯装置」とは、可搬性があり操作部を有する装置をいい、携帯電話装置、携帯テレビ、携帯音楽プレイヤー、ＰＤＡなどを含む概念である。
【００３２】
「再生装置」とは、コンテンツ再生可能な装置をいい、ビデオ再生装置、ハードディスクレコーダ、ＤＶＤ再生装置、テレビ受信装置、ステレオ装置、携帯型音楽再生装置、パソコン、カーナビ、家庭用ゲーム機を含む概念である。
【００３３】
「コンテンツ」とは、画像、音楽、音声、電子ブックなどの電子データをいう。
【００３４】
「広域通信」とは、インターネット、公衆回線網、広域無線通信などをいう。
【００３５】
「近距離通信」とは、赤外線通信、電磁結合通信、ブルーツース（商標）など、同一建物内程度の近距離で通信可能なものをいう。
【００３６】
「権利状況を示すデータ」とは、権利データそのものだけでなく、権利データに基づいて生成されたデータも含む概念である。
【００３７】
「要求手段」は、実施形態ではステップＳ１２に対応する。
【００３８】
「取得手段」は、実施形態ではステップＳ１３が対応する。
【００３９】
「権利状況送信手段」は、実施形態ではステップＳ１８が対応する。
【００４０】
「操作指令送信手段」は、実施形態ではステップＳ２１、Ｓ２３が対応する。
【００４１】
「選択画面生成手段」は、実施形態ではステップＳ３２が対応する。
【００４２】
「再生手段」は、実施形態ではステップＳ４１が対応する。
【００４３】
「権利認証手段」は、実施形態ではステップＳ３６が対応する。なお、権利認証手段による再生の許可は、再生手段に対して許可信号を伝えこれに応じて再生手段が再生を開始する場合だけでなく、再生手段に対して暗号化された再生装置用コンテンツの復号化キーを与えることにより再生を許可するような場合も含む。
【００４４】
「プログラム」とは、ＣＰＵにより直接実行可能なプログラムだけでなく、ソース形式のプログラム、圧縮処理がされたプログラム、暗号化されたプログラム等を含む概念である。
【発明を実施するための形態】
【００４５】
一．第１の実施形態
１．システムの全体構成
図１に、この発明の一実施形態によるコンテンツ再生システムの構成を示す。このシステムは、サーバ装置２、携帯再生装置４、再生装置６を備えている。サーバ装置２と携帯再生装置４は、広域通信部２４、４０を備えており、インターネットなどの広域通信網を介して通信を行う。再生装置６にも、広域通信部６０が設けられており、サーバ装置２との間で、インターネットなどの広域通信網を介して通信を行う。
【００４６】
携帯再生装置４の要求手段４２は、コンテンツの購入要求を広域通信部４０を介してサーバ装置２に送信する。これを受けたサーバ装置２の対携帯送出手段２０は、携帯用コンテンツおよび権利データを携帯再生装置４に送信する。携帯再生装置４の取得手段４４は、広域通信部４０を介してこの携帯用コンテンツ・権利データを受信し、それぞれ、コンテンツ記録部５２、権利記録部５０に記録する。
【００４７】
携帯再生装置４は、再生手段５４によって、コンテンツ記録部５２に記録されている携帯用コンテンツを再生する。これにより、ユーザは、購入したコンテンツを携帯再生装置で閲覧することができる。
【００４８】
一方、再生装置６に対し、サーバ装置２の対再生装置送出手段２２は、再生装置用コンテンツを送信する。再生装置６の取得手段６２は、広域通信部６０を介してこれを受信し、コンテンツ記録部６４に記録する。
【００４９】
携帯再生装置４と再生装置６とが近距離通信部５６、７２によって通信を確立すると、携帯再生装置４の権利状況送信手段４８は、権利記録部５０に記録されている権利データに基づく権利状況データを再生装置６に送信する。
【００５０】
再生装置６の選択画面生成手段６５は、受信した権利状況データに基づいて、コンテンツ選択画面を生成する。生成されたコンテンツ選択画面は、再生装置６の表示部において表示される。
【００５１】
ユーザは、再生装置６に表示されたコンテンツ選択画面を見ながら、携帯再生装置４の操作部を操作する。携帯再生装置４の操作指令送信手段４９は、ユーザの操作による操作指令を、近距離通信部５６を介して再生装置６に送信する。
【００５２】
ユーザが携帯再生装置４の操作部を操作して、コンテンツを選択して再生指示を与えると、再生装置６の操作指示取得手段６６はこの再生指示を受ける。
【００５３】
権利認証手段６８は、携帯再生装置４から送信されてきた権利状況データに基づいて、再生指示がなされたコンテンツの権利があるかどうかを判断する。権利があると判断すれば、再生手段７０によって、コンテンツ記録部６４に記録されている再生装置用コンテンツを再生する。権利がないと判断すれば、再生を許可しない。
【００５４】
上記のようにして、携帯再生装置４においては購入したコンテンツの携帯版を再生することができ、再生装置６においては権利を有する携帯再生装置４が近距離通信の可能な範囲内にあることを条件に再生装置用コンテンツを再生することができる。
【００５５】
また、再生装置６におけるコンテンツ再生の際に表示するコンテンツ選択画面を、携帯再生装置４から送信した権利状況データに基づいて生成することができるので、権利状況に応じたコンテンツ選択画面を生成できる。
【００５６】
２．ハードウエア構成
2.1携帯再生装置のハードウエア構成
図２に、携帯再生装置である携帯電話４のハードウエア構成を示す。ＣＰＵ４１には、ディスプレイ４７、スピーカ４９、広域通信回路４０、近距離通信回路５６、メモリ４３、操作部４５が接続されている。なお、通話のための回路などは省略している。
【００５７】
ディスプレイ４７は、携帯用コンテンツを表示したり、操作画面を表示したりするものである。スピーカ４９は、携帯用コンテンツを音として出力したり、操作音を出力したりするものである。
【００５８】
メモリ４３は、たとえば、不揮発性の書換可能な記憶回路（Ｐ−ＲＯＭなど）によって構成されている。メモリ４３には、オペレーティングシステム（TRON(商標）など）５１、制御プログラム５３が記録されている。制御プログラム５３は、ＯＳ５１と協働してその機能を発揮する。ＯＳ５１を用意せず、制御プログラム５３単独で、その機能を実現するようにしてもよい。
【００５９】
操作部４５は、コンテンツの権利購入、コンテンツの選択、再生指示などの操作を行うためのカーソルキー、数字・文字キーなどである。
【００６０】
2.2再生装置のハードウエア構成
図３に、再生装置６のハードウエア構成を示す。ＣＰＵ６１には、ディスプレイ６９、スピーカ７１、広域通信回路６０、近距離通信回路７２、ハードディスク６３、操作部６５、メモリ６７が接続されている。
【００６１】
ディスプレイ６９は、再生装置用コンテンツを表示したり、操作画面を表示したりするものである。スピーカ７１は、再生装置用コンテンツを音として出力したり、操作音を出力したりするものである。
【００６２】
ハードディスク６３には、オペレーティングシステム（WINDOWS(商標）など）７３、制御プログラム７５が記録されている。制御プログラム７５は、ＯＳ７３と協働してその機能を発揮する。ＯＳ７３を用意せず、制御プログラム７５単独で、その機能を実現するようにしてもよい。
【００６３】
操作部６５は、コンテンツの選択、再生指示などの操作を行うためのカーソルキー、数字・文字キーなどである。
【００６４】
メモリ６７は、揮発性メモリなどで構成され、ＣＰＵ６１のワークエリア、権利状況データの一時的な記憶などに用いられる。
【００６５】
2.3サーバ装置のハードウエア構成
図４に、サーバ装置２のハードウエア構成を示す。ＣＰＵ２１には、ハードディスク２３、広域通信回路２４が接続されている。
【００６６】
ハードディスク２３には、オペレーティングシステム（WINDOWS(商標）など）７３、制御プログラム７５が記録されている。制御プログラム７５は、ＯＳ７３と協働してその機能を発揮する。ＯＳ７３を用意せず、制御プログラム７５単独で、その機能を実現するようにしてもよい。
【００６７】
さらに、ハードディスク２３には、携帯用コンテンツ２９、再生装置用コンテンツ３１、権利管理データ３３が記録される。権利管理データ３３は、各ユーザ毎に、購入したコンテンツの権利状況を示すデータである。
【００６８】
３．コンテンツ提供再生処理
図５ａ〜図５ｄに、サーバ装置２のハードディスク６３に記録された制御プログラム２７、携帯再生装置４のメモリ４３に記録された制御プログラム５３、再生装置６のハードディスク６３に記録された制御プログラム７５のフローチャートを示す。
【００６９】
サーバ装置２のハードディスク２３には、複数のコンテンツが記録されている。各コンテンツは、携帯用コンテンツ２９と再生装置用コンテンツ３１の組によって構成されている。組になっている携帯用コンテンツ２９と再生装置用コンテンツは同じ内容のコンテンツであるが、前者が携帯再生装置用の低精度（画面サイズが小さい、画素が粗いなど）のコンテンツであるのに対し、後者が再生装置用の高精度（画面サイズが大きい、画素が細かいなど）のコンテンツである点において異なる。ハードディスク２３には、図６に示すように、コンテンツ識別子、携帯用コンテンツのファイル名、再生装置用コンテンツのファイル名を記述したコンテンツテーブルが記録されている。なお、図においては省略しているが、コンテンツテーブルには、コンテンツのタイトル、購入価格などが記述されている。
【００７０】
なお、以下の処理において、サーバ装置２、携帯再生装置４、再生装置６の間の通信は暗号化して行われる。また、以下の処理説明において、ユーザの操作である旨を明示したもの以外については、サーバ装置４のＣＰＵ２１、携帯再生装置４のＣＰＵ４１、再生装置６のＣＰＵ６１が制御プログラムにしたがって行う処理である。
【００７１】
ユーザがコンテンツの購入を行う際には、携帯再生装置４の操作部４５を操作し、ユーザＩＤ、パスワードなどを入力してサーバ装置２にアクセスする（ステップＳ１１）。携帯再生装置４は、自らのアドレスを付して、アクセス要求をサーバ装置２に送信する。これを受けて、サーバ装置２は、図６のコンテンツテーブルを参照して、図７に示すような購入画面を生成して携帯再生装置４に送信する（ステップＳ１）。この際、サーバ装置２は、各コンテンツのコンテンツ識別子も送信する。
【００７２】
携帯再生装置４は、これをディスプレイ４７に表示する。ユーザは、操作部４５を操作して、購入を希望するコンテンツを選択し、購入ボタンをクリックする。これにより、サーバ装置２に対して、選択されたコンテンツの購入要求が送信される（ステップＳ１２）。この購入要求には、選択されたコンテンツのコンテンツ識別子も含めて送信される。
【００７３】
サーバ装置２では、コンテンツ識別子を含む購入要求を受けて、決済処理を行う。たとえば、ユーザＩＤに対応して予め登録されている銀行やクレジットの管理サーバと通信して、コンテンツ識別子に対応する購入価格を決済する。
【００７４】
サーバ装置２のハードディスク２３には、各ユーザごとに権利フォルダが設けられ、当該フォルダの中に、全てのコンテンツの権利データが記録されている。サーバ装置２は、当該ユーザの権利フォルダに記録されている購入されたコンテンツの権利データにつき、そのフラグを「未購入状態」から「購入状態」にする（ステップＳ２）。
【００７５】
権利データのデータ構造を図８に示す。権利ステータスの購入／未購入フラグを「購入」にすることによって、権利がある状態となる。権利ステータスにおいては、権利入手日、有効期限などが記述される。
【００７６】
サーバ装置２は、当該ユーザの権利フォルダ中の全ての権利データを携帯再生装置４に送信する（ステップＳ２）。携帯再生装置４は、メモリ４３に受信した権利データを記録する（ステップＳ１３）。この権利データは、携帯再生装置４の電源をオフにしても保存される。なお、サーバ装置２は、全ての権利データを送信せず、購入されたコンテンツの権利データだけを送信するようにしてもよい。
【００７７】
続いて、携帯再生装置４は、購入したコンテンツのコンテンツ識別子をサーバ装置２に送信し、携帯用コンテンツのダウンロードを要求する（ステップＳ１４）。これを受けて、サーバ装置２は、携帯用コンテンツを携帯再生装置４に送信する（ステップＳ３）。なお、携帯再生装置４において既に、携帯用コンテンツが記録されている場合には、携帯再生装置４はこのダウンロード要求を行わないようにしてもよい。
【００７８】
携帯再生装置４は、受信した携帯用コンテンツをメモリ４３に記録する（ステップＳ１５）。ユーザは、操作部４５を操作することにより、携帯用コンテンツを再生することができる（ステップＳ１６）。この際、携帯再生装置４は、ユーザからのコンテンツの再生指示を受けて、当該コンテンツの権利がある場合にのみ再生を許可する。
【００７９】
次に、購入したコンテンツを再生装置６にて再生する場合の処理について説明する。まず、ユーザは、携帯再生装置４を持って再生装置６の近傍（近距離通信が可能な程度）に近づき、操作部４５を操作して再生装置６との通信を開始する（ステップＳ１７）。この通信開始は、具体的には、図９の携帯再生装置４の画面に示すように、リモコンモードを選択することによって行われる。
【００８０】
なお、携帯再生装置４の近くに再生装置６がない場合には、近距離通信ができず通信は確立されない。
【００８１】
通信が確立すると、携帯再生装置４は、メモリ４３に記録されている全ての権利データを再生装置６に送信する（ステップＳ１８）。再生装置６は、これを受信してメモリ６７に記憶する（ステップＳ３１）。
【００８２】
携帯再生装置４は、記録している権利データに基づいて、コンテンツ選択画面を生成する(ステップＳ１９）。さらに、これを、ディスプレイ４７に表示する（ステップＳ２０）。この際、携帯再生装置４は、権利があるコンテンツ（フラグが「購入」になっているもの）と、権利がないコンテンツ（フラグが「未購入」になっているもの）を区別して表示する。たとえば、図１０Ａに示すように、権利があるコンテンツについては、これを区別する表示９０を付して表示する。
【００８３】
一方、権利データを受信した再生装置６においても、この権利データに基づいてコンテンツ選択画面を生成する（ステップＳ３２）。そして、これをディスプレイ６９に表示する（ステップＳ３３）。ディスプレイ６９に表示されたコンテンツ選択画面を、図１０Ｂに示す。この画面においても区別表示９０がなされている。なお、携帯再生装置４における区別表示と再生装置６における区別表示とは、必ずしも同一である必要はない。
【００８４】
次に、ユーザは、携帯再生装置４のディスプレイ４７あるいは再生装置６のディスプレイ６９のコンテンツ選択画面を見ながら、携帯再生装置４の操作部４５を操作して、画面上のカーソル９１を移動させる指示を与える（ステップＳ２１）。操作部４５の操作によるカーソルの移動指示を受けて、携帯再生装置４は、コンテンツ選択画面上のカーソルを移動させる（ステップＳ２２、図１０Ｃ参照）。
【００８５】
一方、カーソルの移動指示は再生装置６にも送信される（ステップＳ２１）。再生装置６は、これを受けて、コンテンツ選択画面上のカーソルを移動させる（ステップＳ３４、図１０Ｄ参照）。
【００８６】
次に、ユーザが操作部４５の「決定ボタン」を押すと、携帯再生装置４のディスプレイ４７の表示は、図１０Ｅのようになる。決定ボタンが押下された旨は、再生装置６にも送信され、再生装置６のディスプレイ６９の表示は、図１０Ｆのようになる。
【００８７】
次に、ユーザが操作部を操作して、再生ボタンにカーソル９１をあわせて「決定ボタン」を押下すると、コンテンツ再生指示が再生装置６に送信される（ステップＳ２３）。このコンテンツ再生指示には、選択されたコンテンツのコンテンツ識別子が含まれる。
【００８８】
再生装置６は、このコンテンツ再生指示を近距離通信部７２によって受信する（ステップＳ３５）。再生装置６は、メモリ４３に記録されている権利データを参照し、再生指示がなされたコンテンツの権利があるかどうか、つまり、当該コンテンツの権利データのフラグが「購入」になっているかどうかを判断する（ステップＳ３６）。権利がないと判断した場合には、権利購入提案処理（ステップＳ３７）を実行する。
【００８９】
再生装置６は、権利があると判断した場合には、再生指示がなされたコンテンツの再生装置用コンテンツが、ハードディスク６３に記録されているか否かを判断する（ステップＳ３８）。既に、再生装置用コンテンツが再生装置６に記録されていれば、再生装置用コンテンツの再生を行う（ステップＳ４１、図１０Ｈ参照）。なお、再生装置用コンテンツの再生は、再生のためのプログラムや回路によって実行される。
【００９０】
再生装置６はコンテンツの再生を開始すると、再生開始信号を携帯再生装置４に送信する。携帯再生装置４はこの信号を受けて、ディスプレイ４７の表示を、再生中に適した表示に変更する。たとえば、図１０Ｇに示すように、再生ボタン（三角マーク）を停止ボタン（四角マーク）に変更する。再生中には、再生ボタンは不要だからである。
【００９１】
また、ステップＳ３８において、再生装置用コンテンツが記録されていない場合には、サーバ装置４に対して当該コンテンツのダウンロード要求を行い（ステップＳ３９）、ダウンロードしてハードディスク６３に記録する（ステップＳ４、Ｓ４０）。その後、再生装置用コンテンツの再生を行う（ステップＳ４１）。
【００９２】
再生が終了すると、再生装置６は、携帯再生装置４との通信が終了したかどうかを判断する（ステップＳ４２）。通信の終了は、たとえば、携帯再生装置４から通信終了の旨を受信したこと、再生装置６から近距離通信によって携帯再生装置４を呼び出しても返答がない場合（携帯再生装置４が再生装置６から離れた、リモコンモードを解除したなどの場合）などによって判断することができる。
【００９３】
通信終了を判断すると、再生装置６は、メモリ６７に一時的に記憶していた権利データを消去する（ステップＳ４３）。
【００９４】
このように、再生装置６の近傍に権利を有する携帯再生装置４がないと、コンテンツが再生できないようになっている。したがって、不正にコンテンツが複製されたとしても、権利を有する者でないと再生ができない。
【００９５】
また、コンテンツについて権利を記録した携帯再生装置４を有していれば、他人が当該コンテンツをダウンロードした再生装置６においても、近距離通信によって権利を認証して再生を行うことができる。つまり、権利を記録した携帯再生装置４を有する者であれば、他人がダウンロードした他人の再生装置６においても、再生装置用コンテンツを再生することができる。
【００９６】
さらに、携帯再生装置４に保有する権利状況に応じたコンテンツ選択画面を再生装置６に表示させることができる。
【００９７】
次に、ステップＳ３６において、再生指示がなされたコンテンツの権利を有していない場合に行われる「権利購入提案処理」について説明する。図５ｄに、権利購入提案処理のフローチャートを示す。
【００９８】
再生装置６は、権利データを参照し、再生指示がなされたコンテンツの権利が無いと判断すると、当該コンテンツのコンテンツ識別子を含む購入案内要求を携帯再生装置４に送信する（ステップＳ７１）。これを受けた携帯再生装置４は、サーバ装置２に転送する（ステップＳ６１）。サーバ装置２は、購入案内要求を受けて、コンテンツ識別子によってコンテンツを特定し、当該コンテンツの購入案内画面を生成して送信する（ステップＳ５１）。
【００９９】
携帯再生装置４は、受信した購入案内画面をディスプレイ４７に表示する（ステップＳ６２）。画面例を、図１１に示す。携帯再生装置４は、購入案内画面を再生装置６に転送する。したがって、再生装置６においても、購入案内画面が表示される（ステップＳ７２）。
【０１００】
ユーザが、操作部４５を操作して購入ボタンをクリックすると、携帯再生装置４は、コンテンツ識別子を含む購入要求をサーバ装置２に送信する（ステップＳ６３）。これにより、ステップＳ２、Ｓ１３、Ｓ１４、Ｓ３、Ｓ１５において説明したと同様の権利の購入処理が行われる（ステップＳ５２、Ｓ６４、Ｓ６５、Ｓ５３、Ｓ６６）。
【０１０１】
このように、権利の購入が行われ、再生指示がなされたコンテンツの再生が行われる（ステップＳ３５以下）。
【０１０２】
４．その他の実施形態
4.1コンテンツ選択画面について
上記実施形態では、携帯再生装置４と再生装置６の双方にコンテンツ選択画面を表示するようにしている。しかし、再生装置６の側にだけコンテンツ選択画面を表示するようにしてもよい。
【０１０３】
また、上記実施形態では、再生指示などの操作指令を携帯再生装置４から再生装置6に送信している。しかし、これら操作指令を再生装置６の操作部６５から入力するようにしてもよい。
【０１０４】
また、再生装置６の側から携帯再生装置４に権利状況データの取得指令を送信し、これに応じて携帯再生装置４が権利状況データを送信するようにしてもよい。これにより、再生装置６は、権利状況を反映したコンテンツ選択画面を表示する。この場合、携帯再生装置４は、再生装置６のリモコンモードになっている必要はなく、電話の待ち受け状態や通話状態であってもよい。
【０１０５】
4.2コンテンツのダウンロードについて
上記実施形態では、権利購入時に自動的に携帯用コンテンツをサーバ装置２からダウンロードするようにしているが、ユーザの操作によって携帯用コンテンツをダウンロードするようにしてもよい。
【０１０６】
また、権利購入時に、自動的に再生装置６に対して再生装置用コンテンツをダウンロードするようにしてもよい。この場合、図１２Ａに示すように処理をすることができる。なお、携帯再生装置４と再生装置６との間は近距離通信、携帯再生装置４とサーバ装置２との間、再生装置６とサーバ装置２との間は広域通信で行う。
【０１０７】
携帯再生装置４がサーバ装置２に購入要求を送信する。これとともに、携帯再生装置４は当該購入要求（少なくとも、購入要求を行ったコンテンツ識別子が含まれていればよい）を再生装置６にも送信する。再生装置６は、自らのアドレスを付して、この購入要求をサーバ装置２に転送する。サーバ装置２は、携帯再生装置４および再生装置６からの購入要求（あるいはいずれか一方からの購入要求）を受けて、決済処理を行う。続いて、サーバ装置２は、携帯再生装置４に携帯用コンテンツをダウンロードし、再生装置６に再生装置用コンテンツをダウンロードする。
【０１０８】
また、図１２Ｂに示すような処理を行ってもよい。ユーザは、携帯再生装置４を操作して購入要求をサーバ装置２に送信する際に、再生装置用コンテンツをダウンロードすべき再生装置６のアドレスを指定する。なお、再生装置６のアドレスは予め携帯再生装置４に記憶しておいてもよいが、携帯再生装置４が近距離通信によって探し出すようにしてもよい。
【０１０９】
つまり、携帯再生装置４は、購入要求を送信する際に近距離通信によって再生装置が存在しないかどうかを問い合わせる質問を送信する。近距離通信の可能な範囲内に再生装置６が存在しなければ、再生装置６からの返答を受けることはできない。再生装置６からの返答がなければ、携帯再生装置４は、購入要求のみをサーバ装置２に送信する。
【０１１０】
一方、近距離通信の可能な範囲内に再生装置６が存在すれば、再生装置６からの返答を受けることができる。再生装置６からの返答があれば、携帯再生装置４は、再生装置６からそのアドレスを取得し、当該アドレスを付して購入要求をサーバ装置２に送信する。
【０１１１】
これを受けたサーバ装置２は、携帯再生装置４に携帯用コンテンツをダウンロードし、再生装置６に再生装置用コンテンツをダウンロードする。
【０１１２】
なお、上記実施形態では、再生装置６への再生装置用コンテンツのダウンロードや携帯再生装置４への携帯用コンテンツのダウンロードを、購入要求に関連づけて自動的に行う場合について説明した。しかし、コンテンツ購入の前後を問わず、ユーザによって携帯再生装置４や再生装置６を操作することにより、
任意にダウンロードを行うようにしてもよい。この実施形態では、携帯再生装置４に権利を記録しなければコンテンツの再生ができないので、権利購入前にコンテンツだけをダウンロードしても問題は生じない。また、権利がない状態（携帯再生装置に権利を購入していない、あるいは、再生装置の近傍に権利を記録した携帯再生装置がない状態）でコンテンツを再生しようとした場合には、完全に再生を禁止するか、あるいは、一部だけの再生（プレビュー）を許可するようにする。
【０１１３】
上記実施形態では、再生装置６は再生装置用コンテンツをサーバ装置２からダウンロードすることによって得ている。しかし、再生装置６は、ＣＤ−ＲＯＭなどの可搬性記録媒体によって再生装置用コンテンツを取得するようにしてもよい。
【０１１４】
なお、上記実施形態では、再生装置６に記録した再生装置用コンテンツを再生するようにしている。しかし、ストリーミングによってサーバ装置２から送信した再生装置用コンテンツを再生するようにしてもよい。
【０１１５】
上記実施形態では、コンテンツが画像データである場合について説明したが、音声データや文字データ等であってもよい。
【０１１６】
4.3権利データの送信について
上記実施形態では、全てのコンテンツの権利データをサーバ装置２から携帯再生装置４に送信している。しかしながら、購入済みのコンテンツの権利データのみを送信するようにしてもよい。また、携帯再生装置４から再生装置６に送信する権利データも、購入済みのコンテンツの権利データのみとしてもよい。この場合には、図１０の各ディスプレイ画面には、購入済みのコンテンツだけが表示されることになる。
【０１１７】
また、携帯再生装置４において誤って権利データを消去した場合や、携帯再生装置４を紛失した場合には、サーバ装置２にアクセスしてユーザ認証を行うことにより、再度、権利データをダウンロードできるようにしてもよい。
【０１１８】
4.4再生装置用コンテンツの再生指示について
上記実施形態では、携帯再生装置４から再生装置６に対して再生装置用コンテンツの再生指示を送信している。しかし、再生装置６の操作部から再生指示を与えるようにしてもよい。また、再生装置６のためのリモコン装置から再生指示を与えるようにしてもよい。
【０１１９】
上記実施形態では権利データそのものを携帯再生装置４から再生装置６に送信している。しかし、権利データそのものでなく権利データに基づいて生成した権利の有無を表すデータを送信するようにしてもよい。
【０１２０】
上記実施形態では、権利データに基づいて当該コンテンツについての権利があることを確認すると再生を許可するようにしている。しかし、再生装置用コンテンツを暗号化しておき、権利があることが確認できた場合にのみ再生プログラム(再生回路）に復号化キーを与えるようにして、再生を許可するようにしてもよい。
【０１２１】
4.5携帯再生装置
上記実施形態では、携帯再生装置４を用いて携帯用コンテンツを携帯再生装置４によって再生可能としている。しかし、サーバ装置２からは携帯用コンテンツを携帯再生装置にダウンロードしないようにしてもよい。この場合には、携帯再生装置は、権利証明装置としての意味を持つことになる。
【０１２２】
上記実施形態では、権利データはサーバ装置２から携帯再生装置４にダウンロードされた。しかし、可搬性媒体によるなどの方法で、携帯再生装置に権利データを取得するようにしてもよい。
【０１２３】
4.6再生許可判断について
上記実施形態では、再生装置あるいは携帯再生装置は、再生指令の出されたコンテンツについて権利を有しているかどうかを判断し、権利を有していれば再生を許可するようにしている。つまり、権利データには当該コンテンツについての権利を有しているか否かを記録するようにしている。
【０１２４】
しかし、権利データ中に、再生が可能な再生装置（テレビ、カーナビゲーション装置、携帯装置など）、再生が可能な期間などを条件として記述しておき、当該条件に従って再生可能かどうかを判断するようにしてもよい。
【０１２５】
さらに、コンテンツの精度（ビットレートなど）、暗号化されているか否か、ユーザが特定の会の会員であるかどうかに応じて、無条件で再生を許可するか、権利を購入していなければ再生を許可しないか、その判断処理を変えるようにしてもよい。
【０１２６】
二．第２の実施形態
１．システムの全体構成
図１３に、他の実施形態によるコンテンツ提供再生システムの全体構成を示す。第１の実施形態と異なる構成について説明する。サーバ装置２の対再生装置送出手段２２は、再生装置６に対してコンテンツの一覧（コンテンツ名、コンテンツ再生時間などを含むデータ）を送信する。再生装置６が送るコンテンツの一覧は、当該ユーザが権利を有するか否かのデータを含んでいない。
【０１２７】
再生装置６のコンテンツ選択画面データ取得手段６５は、広域通信部６０を介してコンテンツ一覧データを受信する。選択画面生成手段６５は、コンテンツ一覧データおよび権利の有無を示すデータの双方に基づいて、コンテンツ選択画面を生成する。
【０１２８】
２．ハードウエア構成
サーバ装置２、携帯再生装置４、再生装置６のハードウエア構成は第１の実施形態と同様である。
【０１２９】
３．コンテンツ提供再生処理
第２の実施形態における、サーバ装置２のハードディスク６３に記録された制御プログラム２７、携帯再生装置４のメモリ４３に記録された制御プログラム５３、再生装置６のハードディスク６３に記録された制御プログラム７５のフローチャートは、第１の実施形態（図５ａ〜図５ｄ）と共通する部分が多い。具体的には、コンテンツのダウンロードに係る図５ａ、図５ｃ、図５ｄは同じである。
【０１３０】
しかし、コンテンツの再生時のフローチャートが図５ｂとは異なっている。図１４に、コンテンツ再生時のフローチャートを示す。サーバ装置２は、携帯再生装置４および再生装置６に対して、コンテンツテーブルを参照して、コンテンツの一覧（コンテンツ名などを含む）を送信する（ステップＳ４ａ）。携帯再生装置４、再生装置６は、これを受信して記録する（ステップＳ１７ａ、ステップＳ３１ａ）。
【０１３１】
なお、サーバ装置２からのコンテンツ一覧の送信は、たとえば、サーバ装置２に新しいコンテンツが追加されたときに行うようにすればよい。この場合、サーバ装置２は、予め登録されている携帯再生装置４、再生装置６に対してコンテンツ一覧を送信する。
【０１３２】
また、携帯再生装置４が再生装置６と通信を開始した際に、携帯再生装置４、再生装置６の側からサーバ装置２に対してコンテンツ一覧を要求し、これに応じて送信するようにしてもよい。
【０１３３】
次に、ユーザは、携帯再生装置４を持って再生装置６の近傍（近距離通信が可能な程度）に近づき、操作部４５を操作して再生装置６との通信を開始する（ステップＳ１７）。
【０１３４】
通信が確立すると、携帯再生装置４は、メモリ４３に記録されている全ての権利データを再生装置６に送信する（ステップＳ１８）。再生装置６は、これを受信してメモリ６７に記憶する（ステップＳ３１）。あるいは、権利を有するコンテンツの権利データのみを再生装置６に送信してもよい。
【０１３５】
携帯再生装置４は、ステップＳ１７ａで受信したコンテンツ一覧と、記録している権利データに基づいて、コンテンツ選択画面を生成する(ステップＳ１９）。さらに、これを、ディスプレイ４７に表示する（ステップＳ２０）。この際、携帯再生装置４は、権利があるコンテンツと、権利がないコンテンツを区別して表示する。たとえば、図１０Ａに示すように、権利があるコンテンツについては、これを区別する表示９０を付して表示する。
【０１３６】
一方、権利データを受信した再生装置６においても、ステップＳ３１ａで受信したコンテンツ一覧と権利データに基づいてコンテンツ選択画面を生成する（ステップＳ３２）。そして、これをディスプレイ６９に表示する（ステップＳ３３）。ディスプレイ６９に表示されたコンテンツ選択画面を、図１０Ｂに示す。この画面においても区別表示９０がなされている。
【０１３７】
上記のように、この実施形態では、サーバ装置２から受信したコンテンツ一覧データと携帯再生装置４が有する権利情報に基づいて、コンテンツ選択画面を生成している。
【０１３８】
コンテンツ再生に向けての以降の処理は、第１の実施形態と同じであるから説明を省略する。
【０１３９】
４．その他の実施形態
第１の実施形態において説明した「その他の実施形態」は、第２の実施形態においても適用することができる。
【図面の簡単な説明】
【０１４０】
【図１】この発明の一実施形態によるコンテンツ再生システムの全体構成図である。
【図２】携帯再生装置４のハードウエア構成を示す図である。
【図３】再生装置６のハードウエア構成を示す図である。
【図４】サーバ装置２のハードウエア構成を示す図である。
【図５ａ】各装置の制御プログラムのフローチャートである。
【図５ｂ】各装置の制御プログラムのフローチャートである。
【図５ｃ】各装置の制御プログラムのフローチャートである。
【図５ｄ】各装置の制御プログラムのフローチャートである。
【図６】コンテンツテーブルを示す図である。
【図７】購入画面を示す図である。
【図８】権利データの構造を示す図である。
【図９】携帯再生装置４の機能選択画面を示す図である。
【図１０】携帯再生装置４および再生装置６のコンテンツ一覧画面を示す図である。
【図１１】コンテンツ購入提案画面を示す図である。
【図１２】他の実施形態を示す図である。
【図１３】第２の実施形態によるコンテンツ提供再生システムの全体構成図である。
【図１４】第２の実施形態におけるコンテンツ再生時のフローチャートである。
【符号の説明】
【０１４１】
４０・・・広域通信部
４２・・・要求手段
４４・・・取得手段
４８・・・権利状況送信手段
４９・・・操作指令送信手段
５０・・・権利記録部
５２・・・コンテンツ記録部
５４・・・再生手段
５６・・・近距離通信部
６５・・・選択画面生成手段
【図１】
2007279963.tif 000003
【図２】
2007279963.tif 000004
【図３】
2007279963.tif 000005
【図４】
2007279963.tif 000006
【図５ａ】
2007279963.tif 000007
【図５ｂ】
2007279963.tif 000008
【図５ｃ】
2007279963.tif 000009
【図５ｄ】
2007279963.tif 000010
【図６】
2007279963.tif 000011
【図７】
2007279963.tif 000012
【図８】
2007279963.tif 000013
【図９】
2007279963.tif 000014
【図１０】
2007279963.tif 000015
【図１１】
2007279963.tif 000016
【図１２】
2007279963.tif 000017
【図１３】
2007279963.tif 000018
【図１４】
2007279963.tif 000019